(57)【要約】      （修正有）【課題】メイクアップ液料をペン芯まで均一に出料させる旋回式のカートリッジタイプメイクアップブラシを提供する。【解決手段】メイクアップブラシはペン棒部１、殼体２、リングフック３、リキッド供給アセンブリ４、蓋体５を有する。ペン棒部１にはペンヘッド１１及び延伸部１２を設置し、延伸部には螺接部１２１を設置する。殼体２には回転部材２２を設置し、螺接部１２１に枢設し、収容設置槽２１はＴ柱状ストップ部２３を呈する。殼体２には頂面２４を設置する。リキッド供給アセンブリ４にはリキッド供給管４１、導管４２及び導液管４３を設置し、リキッド供給管４１はストップ部２３に接触する。導管４２は穿孔４２１及び開閉部材４２２に貫通状に設置し、開閉部材は導管内に係合する。導液管４３はペンヘッド１１及び穿孔４２１に設置され、開閉部材４２２に接触する。ペン棒部１と殼体２との間の環状槽２５にはリングフック３を取り付ける。【選択図】図３
0003209298.tif 000002
【実用新案登録請求の範囲】
【請求項１】
旋回式のカートリッジタイプメイクアップブラシであって、ペン棒部、殼体、リングフック、リキッド供給アセンブリ、蓋体を有し、
前記ペン棒部には、軸方向に収容設置空間を貫通状に設置し、前記ペン棒部一端には、ペンヘッドを設置し、反対端には、延伸部を設置し、前記延伸部には、螺接部を設置し、しかも前記ペン棒部は、延伸部一端に、外径が螺接部より大きい嵌着部を設置し、
前記殼体には、収容設置槽を設置し、前記収容設置槽は、前記収容設置空間と相互に連通し、前記殼体には、前記ペン棒部に対応し、回転部材を設置し、前記回転部材は、前記螺接部に対応して枢設され、前記収容設置槽には、ストップ部を設置し、しかも前記ストップ部は、Ｔ柱状を呈し、前記殼体は、前記嵌着部一端に対応して頂面を設置し、
前記リキッド供給アセンブリは、前記ペン棒部の収容設置空間及び前記殼体収容設置槽に同軸で取り付けられ、前記リキッド供給アセンブリは順番に、リキッド供給管、導管及び導液管を設置し、前記リキッド供給管の、前記導管に相対する一端は、前記ストップ部に接触し、前記導液管は、前記ペン棒部の収容設置空間に設置され、
前記導管は、リキッド供給管の槽口に対応して取り付けられ、前記導管には、穿孔を貫通状に設置し、しかも前記導管には、開閉部材をさらに設置し、前記開閉部材の径長は、於前記穿孔の内径よりやや大きく、これにより、前記開閉部材は、前記導管に係合し、
前記導液管一端は、前記ペンヘッドに接続して設置され、反対端の外径は、前記穿孔よりやや小さく、しかも前記穿孔位置に対応し、こうして、前記導液管の頂端は、前記開閉部材に接触し、これにより前記導液管は、前記導管に進入し、
前記ペン棒部位がスタート位置にある時、前記開閉部材は、係合し、前記穿孔に位置し、前記殼体が、前記螺接部及び前記回転部材により旋回され、これにより前記嵌着部と前記頂面との間の距離が減少しオープン位置に至ると、前記開閉部材は、前記導液管に接触され、導管より離脱し、リキッド供給管内に入ることを特徴とする旋回式のカートリッジタイプメイクアップブラシ。
【請求項２】
前記嵌着部、前記頂面及び前記延伸部間には、環状槽を形成し、前記環状槽には、リングフックを組み付け、
前記リングフックには、受け止め面を設置し、前記受け止め面は、密着し、これにより前記リングフックは延伸部の周縁に組み付けられ、しかも前記受け止め面の対応する二側面は、前記嵌着部及び前記頂面にそれぞれ接触することを特徴とする請求項１に記載の旋回式のカートリッジタイプメイクアップブラシ。
【請求項３】
前記リングフックは、Ｃ型リングフックであることを特徴とする請求項２に記載の旋回式のカートリッジタイプメイクアップブラシ。
【請求項４】
前記リングフックは、前記受け止め面に相対して、つまみ部をさらに設置することを特徴とする請求項２に記載の旋回式のカートリッジタイプメイクアップブラシ。
【請求項５】
前記ストップ部は、前記殼体と一体成形して製造されることを特徴とする請求項１に記載の旋回式のカートリッジタイプメイクアップブラシ。
【請求項６】
前記頂面から嵌着部までの距離は、前記開閉部材が前記穿孔を離脱する距離より大きいことを特徴とする請求項１に記載の旋回式のカートリッジタイプメイクアップブラシ。
【請求項７】
前記ストップ部は、前記リキッド供給管位置に対応し、定位槽をさらに設置し、
前記リキッド供給管は、前記定位槽に取り付けられることを特徴とする請求項１乃至６の任意の一項に記載の旋回式のカートリッジタイプメイクアップブラシ。
【請求項８】
前記旋回式のカートリッジタイプメイクアップブラシは、蓋体をさらに有し、前記蓋体は、軸方向に前記ペン棒部に設置され、前記殼体一端に相対し、しかも前記ストップ部は、前記ペン棒部と軸方向を呈して設置されることを特徴とする請求項１乃至６の任意の一項に記載の旋回式のカートリッジタイプメイクアップブラシ。
【請求項９】
前記リキッド供給管内には、かく拌部材をさらに設置し、
前記かく拌部材の径長は、前記穿孔の内径より小さいことを特徴とする請求項１乃至６の任意の一項に記載の旋回式のカートリッジタイプメイクアップブラシ。
【請求項１０】
前記導管は、端部をさらに設置し、
前記端部は、前記リキッド供給管の槽口に接触することを特徴とする請求項１乃至６の任意の一項に記載の旋回式のカートリッジタイプメイクアップブラシ。
【考案の詳細な説明】
【技術分野】
【０００１】
本考案は旋回式のカートリッジタイプメイクアップブラシに関し、特に初めての使用時に、旋回及びシェイク方式により、メイクアップ液料をペン芯まで均一に出料させる旋回式のカートリッジタイプメイクアップブラシに関する。
【背景技術】
【０００２】
メイクアップは、一種のエチケットであり、女性にとっては基本的な礼儀の一つである。
良好な外観を保つため、メイクアップ用具に応じて、メイクアップ液料を充填した容器が必要である。
【０００３】
従来のプッシュ式メイクアップブラシは通常は、ペン本体及びペン蓋により組成される。
ペン本体内部には、メイクアップ液料を入れた液料容器を取り付け、しかもペン本体の後段は、プッシュ部材を呈する。
ペン本体前端位置には、液料容器中のメイクアップ液料を吸収することができるペン芯を設置する。
ペン芯一端は、ペン本体外側に露出し、液料容器は、ペン芯に対応する位置に、弾性部材を設置する。
【０００４】
使用者は従来のプッシュ式メイクアップブラシを握り、プッシュ方式により、液料容器内のメイクアップ液料をペン芯へと出す。
これにより、メイクアップ液料が染み込んだペン芯と人体とが接触することで、人体に対してメイクアップ着色の効果を達成する。
【０００５】
けれども、従来のプッシュ式メイクアップブラシのプッシュ部材は、使用者の慣性により誤接触され易く、これにより過剰なメイクアップ液料が出料してしまい、ペン芯内に大量のメイクアップ液料が染み込み、使用者が使用する際に、過剰なメイクアップ液料が人体に塗られてしまうという欠点がある。
【考案の概要】
【考案が解決しようとする課題】
【０００６】
本考案の目的は旋回及びシェイク方式により、メイクアップ液料をペン芯まで均一に出料させる旋回式のカートリッジタイプメイクアップブラシを提供することにある。
【課題を解決するための手段】
【０００７】
本考案による旋回式のカートリッジタイプメイクアップブラシは、ペン棒部、殼体、リングフック、リキッド供給アセンブリ、蓋体を有する。
該ペン棒部には、軸方向に収容設置空間を貫通状に設置する。
該ペン棒部一端には、ペンヘッドを設置し、反対端には、延伸部を設置し、該延伸部には、螺接部を設置し、しかも該ペン棒部は、延伸部一端に、外径が螺接部より大きい嵌着部を設置する。
該殼体には、収容設置槽を設置する。
該収容設置槽は、該収容設置空間と相互に連通する。
該殼体には、該ペン棒部に対応し、回転部材を設置する。
該回転部材は、該螺接部に対応して枢設される。
該収容設置槽には、ストップ部を設置し、しかも該ストップ部は、Ｔ柱状を呈する。
該殼体は、該嵌着部一端に対応して頂面を設置する。
該リキッド供給アセンブリは、該ペン棒部の収容設置空間及び該殼体収容設置槽に同軸で取り付けられる。
該リキッド供給アセンブリは順番に、リキッド供給管、導管及び導液管を設置する。
該リキッド供給管の、該導管に相対する一端は、該ストップ部に接触し、該導液管は、該ペン棒部の収容設置空間に設置される。
該導管は、リキッド供給管の槽口に対応して取り付けられる。
該導管には、穿孔を貫通状に設置し、しかも該導管には、開閉部材をさらに設置する。
該開閉部材の径長は、於該穿孔の内径よりやや大きく、これにより、該開閉部材は、該導管に係合する。
該導液管一端は、該ペンヘッドに接続して設置され、反対端の外径は、該穿孔よりやや小さく、しかも該穿孔位置に対応する。
こうして、該導液管の頂端は、該開閉部材に接触し、これにより該導液管は、該導管に進入し、これにより該ペン棒部位がスタート位置にある時、該開閉部材は、係合し、該穿孔に位置し、該殼体が、該螺接部及び該回転部材により旋回され、これにより該嵌着部と該頂面との間の距離が減少しオープン位置に至ると、該開閉部材は、該導液管に接触され、導管より離脱し、リキッド供給管内に入る。
【０００８】
本考案による旋回式のカートリッジタイプメイクアップブラシにおいて、該嵌着部、該頂面及び該延伸部間には、環状槽を形成する。
該環状槽には、リングフックを組み付け、該リングフックには、受け止め面を設置する。
該受け止め面は、密着し、これにより該リングフックは延伸部の周縁に組み付けられ、しかも該受け止め面の対応する二側面は、該嵌着部及び該頂面にそれぞれ接触する。
【０００９】
本考案による旋回式のカートリッジタイプメイクアップブラシにおいて、該リングフックは、Ｃ型リングフックである。
【００１０】
本考案による旋回式のカートリッジタイプメイクアップブラシにおいて、該リングフックは、該受け止め面に相対して、つまみ部をさらに設置する。
【００１１】
本考案による旋回式のカートリッジタイプメイクアップブラシにおいて、該ストップ部は、該殼体と一体成形して製造される。
【００１２】
本考案による旋回式のカートリッジタイプメイクアップブラシにおいて、該頂面から嵌着部までの距離は、該開閉部材が該穿孔を離脱する距離より大きい。
【００１３】
本考案による旋回式のカートリッジタイプメイクアップブラシにおいて、該ストップ部は、該リキッド供給管位置に対応し、定位槽をさらに設置し、該リキッド供給管は、該定位槽に取り付けられる。
【００１４】
本考案による旋回式のカートリッジタイプメイクアップブラシは、蓋体をさらに有し、該蓋体は、軸方向に該ペン棒部に設置され、該殼体一端に相対し、しかも該ストップ部は、該ペン棒部と軸方向を呈して設置される。
【００１５】
本考案による旋回式のカートリッジタイプメイクアップブラシにおいて、該リキッド供給管内には、かく拌部材をさらに設置する。
該かく拌部材の径長は、該穿孔の内径より小さい。
【００１６】
本考案による旋回式のカートリッジタイプメイクアップブラシにおいて、該導管は、端部をさらに設置し、該端部は、該リキッド供給管の槽口に接触する。
【考案の効果】
【００１７】
本考案には、以下の長所と効果を備える。
１.初めての使用時に誤接触或いはプッシュにより、メイクアップ液料が過剰に出料するという欠点を持つ従来のプッシュ式メイクアップブラシに比べ、本考案は嵌着部、頂面及び延伸部間に形成する環状槽にリングフックを取り付けることで、使用者の誤接触、回転或いはプッシュを防ぐ安全装置とする。
２.本考案は初めての使用時に、先ずリングフックを環状槽から取り出し、次に回転部材を螺接部で回し、殼体をスタート位置からオープン位置へと回すと、ストップ部はリキッド供給管を圧迫するため、リキッド供給管及び導管はペンヘッド方向へと移動し、同時に、導液管には、穿孔を貫通状に設置するため、導液管頂端が接触する開閉部材は、穿孔中において軸方向に移動し、しかも頂面から嵌着部までの距離は、開閉部材が穿孔を離脱する距離より大きいため、開閉部材は穿孔を離れる。この時、本考案をシェイクし、開閉部材はシェイクにより導液管の頂端に接触しないため、かく拌部材と開閉部材とはメイクアップ液料を十分にかく拌し、リキッド供給管内のメイクアップ液料は開閉部材と導管との間隙から、導液管を経てペンヘッドへと流れ、ペンヘッドから均一な色彩のメイクアップ液料が出料し、使用者の使用に供することができる。
３.本考案のストップ部は、Ｔ柱状を呈するため、リキッド供給管は定位槽中に安定的に設置され、移動或いは揺れの確率を低下させ、こうしてリキッド供給管の安定性及び殼体を回す際の触感を高めることができる。
【図面の簡単な説明】
【００１８】
【図１】本考案の立体模式図である。
【図２】本考案の立体分解模式図である。
【図３】本考案の断面模式図である。
【図４】本考案による殼体がスタート位置にある様子を示す断面模式図である。
【図５】本考案による殼体がオープン位置にあり、及びシェイクされる様子を示す断面模式図である。
【考案を実施するための形態】
【００１９】
（一実施形態）
図１乃至図３に示す通り、本考案による旋回式のカートリッジタイプメイクアップブラシは、ペン棒部１、殼体２、リングフック３、リキッド供給アセンブリ４、蓋体５を有する。
【００２０】
ペン棒部１には、軸方向に収容設置空間を貫通状に設置する。
ペン棒部１一端には、ペンヘッド１１を設置し、反対端には、延伸部１２を設置する。
延伸部１２には、螺接部１２１を設置し、しかもペン棒部１は、延伸部１２一端に、外径が螺接部１２１より大きい嵌着部１３を設置する。
【００２１】
殼体２には、収容設置槽２１を設置する。
収容設置槽２１は、収容設置空間と相互に連通する。
殼体２には、ペン棒部１に対応し、回転部材２２を設置する。
回転部材２２は、螺接部１２１に対応して枢設される。
一実施形態において、回転部材２２及び螺接部１２１は、相互対応を呈するネジヤマである。
収容設置槽２１には、ストップ部２３を設置する。
好ましい実施形態において、ストップ部２３は、Ｔ柱状を呈する。
しかも、一実施形態において、ストップ部２３は、ペン棒部１と軸方向を呈して設置される。
好ましくは、ストップ部２３は、殼体２と一体成形して製造される。
殼体２は、嵌着部１３一端に対応して頂面２４を設置する。
好ましい実施形態において、嵌着部１３、頂面２４及び延伸部１２間には、環状槽２５を形成する。
環状槽２５には、リングフック３を組み付ける。
【００２２】
リングフック３は、Ｃ型リングフック３などである。
リングフック３には、受け止め面３１を設置する。
受け止め面３１は、密着し、これによりリングフック３は延伸部１２の周縁に組み付けられる。
しかも、受け止め面３１の対応する二側面は、嵌着部１３及び頂面２４にそれぞれ接触する。
しかも、一実施形態において、リングフック３は、該受け止め面３１に相対して、つまみ部３２をさらに設置する。
【００２３】
リキッド供給アセンブリ４は、ペン棒部１の収容設置空間及び殼体２の収容設置槽２１に同軸で取り付けられる。
リキッド供給アセンブリ４は順番に、リキッド供給管４１、導管４２及び導液管４３を設置する。
リキッド供給管４１の、導管４２に相対する一端は、ストップ部２３に接触し、しかもリキッド供給管４１及び導管４２は、該殼体２の収容設置槽２１に設置される。
導液管４３は、ペン棒部１の収容設置空間に設置される。
一実施形態において、ストップ部２３は、リキッド供給管４１位置に対応し、定位槽２３１をさらに設置する。
リキッド供給管４１は、定位槽２３１に取り付けられる。
【００２４】
導管４２は、リキッド供給管４１の槽口４１１に対応して取り付けられる。
一実施形態において、導管４２には、端部４２３をさらに設置する。
端部４２３は、リキッド供給管４１の槽口４１１に接触する。
導管４２には、穿孔４２１を貫通状に設置する。
しかも、導管４２内には、開閉部材４２２をさらに設置する。
開閉部材４２２の径長は、於該穿孔４２１の内径よりやや大きい。
これにより、開閉部材４２２は、導管４２に係合する。
リキッド供給管４１内には、かく拌部材４１２をさらに設置する。
かく拌部材４１２の径長は、穿孔４２１の内径より小さい。
【００２５】
導液管４３一端は、ペンヘッド１１に接続して設置され、反対端の外径は、穿孔４２１よりやや小さく、しかも穿孔４２１位置に対応する。
こうして、導液管４３の頂端は、開閉部材４２２に接触し、これにより該導液管４３は、該導管４２に進入する。
【００２６】
蓋体５は、軸方向にペン棒部１に設置され、殼体２一端に相対する。
従来のメイクアップブラシは未だオープン使用されない時に、使用者の誤接触或いは回転により使用開始状態となってしまい、メイクアップ液の過度な流出を招く。
上記欠点を解決するため、図３に示す通り、本考案では、ペン棒部１と殼体２との間の環状槽２５に、リングフック３を組み付ける。
これにより、使用者の誤接触或いは回転を防止する安全装置とする。
初めて使用する際には、先ずつまみ部３２を利用してリングフック３を環状槽２５から取り出す。
続いて、殼体２の回転部材２２を螺接部１２１において回す。
この時、殼体２はスタート位置Ｐ１にあり、開閉部材４２２は、係合し、穿孔４２１に位置する。
【００２７】
続いて図４に示す通り、該殼体２が、該螺接部１２１及び該回転部材２２により旋回され、これにより該嵌着部１３と該頂面２４との間の距離が減少しオープン位置Ｐ２に至ると、リキッド供給管４１は、定位槽２３１中に接触し、しかも導管４２の端部４２３は、リキッド供給管４１の槽口４１１位置に取り付けられて密着するため、殼体２を回しペンヘッド１１方向へと移動させると、ストップ部２３はリキッド供給管４１を圧迫する。
こうして、リキッド供給管４１及び導管４２は、軸方向にペンヘッド１１方向へと移動する。
同時に、導液管４３には、穿孔４２１を貫通状に設置するため、導液管４３頂端が接触する開閉部材４２２は、穿孔４２１中において軸方向に移動し、しかも頂面２４から嵌着部１３までの距離Ｄは、開閉部材４２２が穿孔４２１を離脱する距離Ｄ’より大きい。
開閉部材４２２は、導液管４３により接触され距離Ｄ’を超過するため、該開閉部材４２２は、該導液管４３の接触を受け、導管４２から離脱し、リキッド供給管４１内に入る。
【００２８】
この時、図５に示す通り、本考案をシェイクすることで、かく拌部材４１２は、リキッド供給管４１内で、メイクアップ液料を十分にかく拌し、しかも開閉部材４２２はシェイクにより導液管４３の頂端に接触しないため、これによりリキッド供給管４１内のメイクアップ液料は、開閉部材４２２及び導管４２の間隙より、導液管４３を経てペンヘッド１１へと流れる。
よって、本考案は、かく拌部材４１２及び開閉部材４２２により相互にリキッド供給管４１内で、メイクアップ液料を十分にかく拌することができる。
こうして、メイクアップ液料の出料をスムーズにすることができる。
【００２９】
使用完了後は、蓋体５をペン棒部１に相対する殼体２一側に被せる。
これにより、ペンヘッド１１は蓋体５中に覆われる。
水平或いは垂直にテーブル面に置かれても、メイクアップ液料は相当の粘度を備えるため、メイクアップ液料は、リキッド供給アセンブリ４に留まり、ペンヘッド１１中に停留し、流動し続けることはない。
再使用する際には、シェイクすることで、開閉部材４２２は導液管４３の頂端に接触せず、かく拌部材４１２及び開閉部材４２２により十分にかく拌し、時間を経て徐々に沈殿していたメイクアップ液料を十分にかく拌する。
しかも、メイクアップ液料を、開閉部材４２２と導管４２の間隙から、導液管４３を経てペンヘッド１１へと流し、ペンヘッド１１より色彩が均一なメイクアップ液料を出料することができる。
【００３０】
前述した本考案の実施形態は本考案を限定するものではなく、よって、本考案により保護される範囲は後述される実用新案登録請求の範囲を基準とする。
【符号の説明】
【００３１】
１  ペン棒部
１１  ペンヘッド
１２  延伸部
１２１  螺接部
１３  嵌着部
２  殼体
２１  収容設置槽
２２  回転部材
２３  ストップ部
２３１  定位槽
２４  頂面
２５  環状槽
３  リングフック
３１  受け止め面
３２  つまみ部
４  リキッド供給アセンブリ
４１  リキッド供給管
４１１  槽口
４１２  かく拌部材
４２  導管
４２１  穿孔
４２２  開閉部材
４２３  端部
４３  導液管
５  蓋体
Ｐ１  スタート位置
Ｐ２  オープン位置
Ｄ、Ｄ'  距離
【図１】
0003209298.tif 000003
【図２】
0003209298.tif 000004
【図３】
0003209298.tif 000005
【図４】
0003209298.tif 000006
【図５】
0003209298.tif 000007